(57)【要約】      （修正有）【課題】装着中のかつらの浮き上がり現象を防止し、自毛との親和性があり、ユーザの多種多様な髪型の嗜好に対応する、かつら用フレーム及びかつらを提供する。【解決手段】かつら用フレーム１は平面視長方形状に形成される雌雄一対のフレームからなる。雌雄のフレーム２Ａ、２Ｂ間に、植毛ベース及び化粧ベースが挟着され、雌フレームと一体に形成されるフック部１１とからなる。フレーム本体は塑性素材からなり、対向する側縁部３と、側縁部の後端部間を連続する後縁部５と、後縁部に対向するフロント側に設けられる折捨て部７とからなる。自毛に装着されたかつらは、装着時のフレーム本体の塑性変形とクリップの弾性変形により、フレーム本体が頭部に沿って変形するとともに、ベースが面状にテンションを受けるため、かつらが自毛に馴染んで装着が安定する。自毛との親和性が生じ、境い目付近のかつらの浮き上がり現象を防止する。【選択図】図１
2020196965.tif 000002
【特許請求の範囲】
【請求項１】
平面視長方形状に形成される雌雄一対のフレームであって、
該フレームはフレーム本体と、該フレーム本体と一体に形成されるフック部と、該フレーム本体と一体に形成される固定用部とからなり、
上記フレーム本体は塑性素材からなり、対向する側縁部と、該側縁部の後端部間を連続する後縁部と、該後縁部に対向するフロント側に設けられる折捨て部とからなり、
上記側縁部及び上記後縁部に夫々内側に向かい対向して突設されてなるフック部に、弾性素材からなる反転自在のクリップが取り付けられ、
上記折捨て部及び上記後縁部に夫々外側に向かって固定用部が突設され、
上記折捨て部及び上記固定用部が折捨て可能に形成されることを特徴とするかつら用フレーム。
【請求項２】
請求項１記載のかつら用フレームにおいて、上記フック部が上記側縁部のフロント側先端部に設けられることを特徴とするかつら用フレーム。
【請求項３】
請求項１又は請求項２記載のかつら用フレームにおいて、上記クリップが上記フック部に取付けられる取付部と、該取付部に対向する基端部と、該基端部から取付部に向かって突設される櫛部とからなり、該櫛部が装着前は凹弧状の開となり、装着後は反転して上記取付部に当接されて突弧状の閉となることを特徴とするかつら用フレーム。
【請求項４】
上記フレームと、雌雄一対の上記フレーム間に固着された扁平状素材からなるベースとからなることを特徴とするかつら。
【請求項５】
請求項４記載のかつらにおいて、上記ベースがヘア材が植毛される植毛ベースと、該植毛ベースの裏面に積層される化粧ベースとからなることを特徴とするかつら。
【請求項６】
請求項５記載のかつらにおいて、上記植毛ベースの前端部が化粧ベースの前端部より突出されることを特徴とするかつら。
【請求項７】
請求項５記載のかつらにおいて、上記植毛ベースの前端部が裏面に折畳まれてなることを特徴とするかつら。
【発明の詳細な説明】
【技術分野】
【０００１】
本願発明はかつらに関し、とくに被着することにより使用するかつらに関する。
【背景技術】
【０００２】
この種かつらは、頭髪の薄くなった部分の辺り、つまり、自毛のなくなった部分２９とまだ自毛のある部分３０付近に被着させて使用する。かかる場合、自毛のなくなった部分２９とまだ自毛のある部分３０との間には境い目が生じ、ここにこの種かつらを装着すると、かつらが浮いてしまう現象が起こることがある。
【０００３】
このかつらの浮き上がり現象が起こると、かつらが安定せず、絶えず脱げてしまうような不安心理におそわれる。従来このかつらの浮き上がり現象を防止するには、装着力の強い金属製のクリップ等により自毛に固定していた。しかし、このようにすると装着中自毛が引張られて痛みを覚えユーザに不快感を与えていた。また装着力の強いクリップや複雑なつくりとしたクリップは重くなったり厚くなったりするため、長時間装着するかつらの場合、ユーザ不快感の因となる。
【０００４】
女性の場合、髪型の好みがあるため、美容師等により予め自分の好みに合った髪型に調整しておくのが通例であるところ、従来のこの種かつらはベースにヘア材が植毛されて構成されており、ベースが定形状に保持されていなかったため、自分の好みに合った髪型にヘア材を調整する作業が困難となっていた。即ち、美容師等はふにゃふにゃに変形されるかつらをマネキン頭部に固定してヘア材をカットしたりカールしたりして髪型の調整をするのであるが、かつらを固定する特別の装置がないため、マネキン頭部にかつらをのせた後、製品に直接ピン打ちをして固定することが多かった。
【０００５】
しかしながら、かつらは１個数万円という高価な商品であるため、かかるピン打ちには心理的な抵抗感が大であり、かかる心理的な抵抗感があるため髪型の調整作業に影響を与えることがあった。
【０００６】
女性の髪型嗜好は多種多様であるため、予め工場で量産しておくことは事実上不適である。
【先行技術文献】
【特許文献】
【０００７】
【特許文献１】特表２０１２−５２９５７６
【発明の概要】
【発明が解決しようとする課題】
【０００８】
本願発明は上記背景より、装着中のかつらの浮き上がり現象を防止し、自毛との親和性のあるかつら用フレーム及びかつらを供することを目的とする。
また他の目的は、ユーザの多種多様な髪型の嗜好に対応することができるかつら用フレーム及びかつらを供することをも目的とする。
【課題を解決するための手段】
【０００９】
上記課題解決のため、本願発明によるかつら用フレームは、平面視長方形状に形成される雌雄一対のフレームであって、該フレームはフレーム本体と、該フレーム本体と一体に形成されるフック部と、該フレーム本体と一体に形成される固定用部とからなり、上記フレーム本体は塑性素材からなり、対向する側縁部と、該側縁部の後端部間を連続する後縁部と、該後縁部に対向するフロント側に設けられる折捨て部とからなり、上記側縁部及び上記後縁部に夫々内側に向かい対向して突設されてなるフック部に、弾性素材からなる反転自在のクリップが取り付けられ、上記折捨て部及び上記後縁部に夫々外側に向かって固定用部が突設され、上記折捨て部及び上記固定用部が折捨て可能に形成されることを特徴とする。
また請求項２による本願発明によるかつら用フレームは、請求項１記載のかつら用フレームにおいて、上記フック部が上記側縁部のフロント側先端部に設けられることを特徴とする。
また請求項３による本願発明によるかつら用フレームは、請求項１又は請求項２記載のかつら用フレームにおいて、上記クリップが上記フック部に取付けられる取付部と、該取付部に対向する基端部と、該基端部から取付部に向かって突設される櫛部とからなり、該櫛部が装着前は凹弧状の開となり、装着後は反転して上記取付部に当接されて突弧状の閉となることを特徴とする。
また本願発明によるかつらは、上記フレームと、雌雄一対の上記フレーム間に固着された扁平状素材からなるベースとからなることを特徴とする。
また請求項５による本願発明によるかつらは、請求項４記載のかつらにおいて、上記ベースがヘア材が植毛される植毛ベースと、該植毛ベースの裏面に積層される化粧ベースとからなることを特徴とする。
また請求項６による本願発明によるかつらは、請求項５記載のかつらにおいて、上記植毛ベースの前端部が化粧ベースの前端部より突出されることを特徴とする。
また請求項７による本願発明によるかつらは、請求項５記載のかつらにおいて、上記植毛ベースの前端部が裏面に折畳まれてなることを特徴とする。
【発明の効果】
【００１０】
本願発明によれば、平面視長方形状に形成される雌雄一対のフレームであって、該フレームはフレーム本体と、該フレーム本体と一体に形成されるフック部と、該フレーム本体と一体に形成される固定用部とからなり、上記フレーム本体は塑性素材からなり、対向する側縁部と、該側縁部の後端部間を連続する後縁部と、該後縁部に対向するフロント側に設けられる折捨て部とからなり、上記側縁部及び上記後縁部に夫々内側に向かい対向して突設されてなるフック部に、弾性素材からなる反転自在のクリップが取り付けられ、上記折捨て部及び上記後縁部に夫々外側に向かって固定用部が突設され、上記折捨て部及び上記固定用部が折捨て可能に形成されるので、自毛に装着されたかつらは、装着時のフレーム本体の塑性変形とクリップの弾性変形により、フレーム本体が頭部に沿って変形するとともに、ベースが面状にテンションを受けるため、かつらが自毛に馴染んで装着が安定する。これにより、かつらの浮き上がり現象を起こす境い目付近の自毛が矯正され、装着中のかつらがいわばニット帽を被るように頭部にフィットするため、自毛との親和性が生じ、上記境い目付近のかつらの浮き上がり現象を防止する。またクリップの装着時の力がフレーム本体の塑性変形力と相まってベースの直交方向に分散するため、ベースのテンションが面状に広がり、自毛への過度な装着力とならない。よって、装着中のユーザの苦痛感が著しく軽減される。
【００１１】
さらに、髪型調整はマネキン頭部にかつらをのせて、固定用部にピン打ちすることにより行われるので、かつらは完全にマネキン頭部に固定される。美容師等はヘア材にカールをかける場合、ヘア材を上方に引張り巻き上げていくのであるが、固定用部があるためベースの極薄のフロント部分に負荷がかからない。フレーム本体は塑性変形するから、極薄に形成されたベースのフロント部分が安定する。よって、髪型調整作業の安定化、円滑作業化に資することができ、またユーザの多種多様な髪型の嗜好に対応することができる。
【００１２】
上記フック部が上記側縁部のフロント側先端部に設けられる場合は、面状に引張られるベースのテンションを一層向上することができる。
【００１３】
上記クリップが上記フック部に取付けられる取付部と、該取付部に対向する基端部と、該基端部から取付部に向かって突設される櫛部とからなり、該櫛部が装着前は凹弧状の開となり、装着後は反転して上記取付部に当接されて突弧状の閉となる場合は、クリップの着脱が一層容易となり、またクリップの一層の軽量化に寄与することができる。
【００１４】
また本願発明によれば、かつらが上記フレームと、雌雄一対の上記フレーム間に固着された扁平状素材からなるベースとからなるので、上記効果に支障を生ずることなく、ユーザによって異なる多種多様な頭部の形状にも対応することができる。
【００１５】
上記ベースがヘア材が植毛される植毛ベースと、該植毛ベースの裏面に積層される化粧ベースとからなる場合は、ベースが美観のため細かい目に形成された化粧ベースと植毛のため粗い目に形成された植毛ベースとの二重になり、これにより、植毛ベースに植毛されたヘア材があたかも美麗な化粧ベースから出ているように見え、自毛との親和性を一層向上せしめる。
【００１６】
上記植毛ベースの前端部が化粧ベースの前端部より突出される場合は、頭髪の薄くなった境い目を目立たせないで済む効果がある。
【００１７】
上記植毛ベースの前端部が裏面に折畳まれてなる場合は、フロントのヘアスタイルを種々に動かしてフロント部分に負荷をかけても、かかる動作に対するかつらの耐久性を一層向上せしめる。
【図面の簡単な説明】
【００１８】
【図１】本願発明によるかつら用フレームの実施の形態を示す一部省略斜視図であり、フレームの開状態の図である。
【図２】一部を省略した図１ＩＩ部の平面図である。
【図３】図２の正面図である。
【図４】図２の左側面図である。
【図５】図２の右側面図である。
【図６】図３のＶＩ部拡大図である。
【図７】（Ａ）は図２の底面図、（Ｂ）は（Ａ）のＢ部拡大図である。
【図８】（Ａ）はクリップ装着前の拡大斜面図、（Ｂ）は（Ａ）のＢ視図、（Ｃ）はクリップ装着後の拡大斜面図、（Ｄ）は（Ｃ）のＣ視図を示す。
【図９】本願発明によるかつらの実施の形態を示す分解斜視図である。
【図１０】（Ａ）は図９のＸ視図、（Ｂ）は（Ａ）のＢ部拡大図である。
【図１１】（Ａ）は本願発明によるかつらの実施の形態を示す一部省略要部正面図、（Ｂ）は他の実施の形態を示す一部省略要部正面図である。
【図１２】本願発明によるかつら装着前のユーザの頭部を示す要部正面図である。
【図１３】本願発明によるかつらをユーザの頭部に装着する作業を示す要部正面図である。
【図１４】本願発明によるかつらの装着親和作業を示す要部正面図である。
【図１５】本願発明によるかつらの装着後のユーザの頭部を示す要部正面図である。
【発明を実施するための形態】
【００１９】
以下、本願発明によるかつら用フレーム及びかつらを、図面に基づいて詳細に説明する。なお、便宜上、同一の機能を奏する部分には同一の符号を付して、その説明を省略する。
【００２０】
フレーム１は雌雄一対であり、折捨て部７を介して、夫々Ｕ字形状に形成され、全体としては平面視長方形状に形成される。フレーム本体としての雌フレーム２Ａは、塑性素材（本実施例ではポリエチレン（ＰＥ））からなり、平行に対設される長辺からなる側縁部３、３と、該側縁部３の後端部間を連続する短辺からなる後縁部５と、該後縁部５に対向するフロントＦ側に設けられる折捨て部７とからなる。上記側縁部３及び後縁部５には、軸に沿って適宜数の孔４（図６に示す）が突設され、該孔４に後記する雄フレーム２Ｂの側縁部及び後縁部に設けられる突起１９（図６に示す）が嵌合する。
【００２１】
１１は上記フレーム本体２Ａと一体に形成されるフック部であり、上記各側縁部３のフロントＦ側先端部に内側に向かい対向して一対突設され、また上記後縁部５の中央部に内側に向かって１個突設される。上記各フック部１１には反転自在のクリップ１３が取付けられる。即ち、側縁部３のフロントＦ側先端部には一対のクリップ１３ａ、１３ｂが、また後縁部５にはクリップ１３ｃが固着される。図中Ｒは後側を表わす。
【００２２】
上記折捨て部７は上記側縁部３、３の先端部（フロントＦ側）に上記フレーム本体２Ａと一体に設けられ、そこに孔を有する固定用部１７ａが外側に向かって突設される。また上記後縁部５の両端部にも孔を有する固定用部１７ｂが外側に向かって突設される。
【００２３】
クリップ１３について図８に基づき詳述する。上記クリップ１３は、弾性力のあるプラスチック素材からなり、上記フック部１１が挿入される袋状のケースを有する取付部１４と、該取付部１４に対向する基端部１５と、該基端部１５から取付部１４に向かって櫛歯状に突設される櫛部１６とからなる。該櫛部１６はユーザ頭髪に装着前は凹弧状の開となっているが、装着後は反転されて突弧状となり、上記取付部１４に当接して閉となる。
【００２４】
図９及び図１０を参照して、本願発明によるかつら２１について説明する。本願発明によるかつら２１は、上記した雌雄のフレーム２Ａ、２Ｂ間に、植毛ベース２３及び化粧ベース２５が挟着されてなる。植毛ベース２３は扁平の面状ネット地からなり、ネット地を構成する緯２３ｃに、表面側に向かってヘア材２７が植毛されている。かかる植毛ベース２３の周縁部２４を雄フレーム２Ｂの側縁部１８ａ及び側縁部１８ｂに巻き付け、その上から所定形状に型抜きされた化粧ベース２５が積層される。つまり、該化粧ベース２５は上記植毛ベース２３の裏面側（ユーザの頭髪側）に積層される。かかる状態にて、上記した雌フレーム２Ａが図示省略のヒンジを介して雄フレーム２Ｂ上に冠せられ、上記した側縁部１８ａ及び側縁部１８ｂに設けられた突起１９が雌フレーム２Ａの上記孔４に嵌着される。
【００２５】
ここでかつら２１の構成材についてさらに述べる。上記ネット地はポリアミド系合成繊維からなる緯２３ｃ及びポリアミド系合成繊維からなる経（図示省略）が織成されてなる。ネット地を構成する緯２３ｃ、経の繊維の形状、太さは任意である。本実施例では断面形状が円形で、繊維径が緯２３ｃが１１０μｍ、経が１３０μｍのものを使用する。上記緯にヘア材２７が内側即ち緯２３ｃの裏面側と、外側即ち緯２３ｃの表面側とから緯２３ｃにしっかりと結び付けられるため、緯２３ｃにゆるまずに固着される。このため、結び目２８が緯２３ｃに保持されるので、ヘア材２７が自然毛の如く立ち上がり、植毛されたヘア材２７にボリューム感がでるのである。また機械植毛により、時計回り植毛と反時計回り植毛とを交互に変更等することにより、毛流がランダムになるため、隣接するヘア材２７が互いに接触することにより、立体的なボリューム感となる。よって過度な毛量とせずとも、ボリューム感を再現することができるので、不自然なかつらとならない。
【００２６】
図１１を参照して上記かつら２１の２パターンを説明する。図１１（Ａ）は、植毛ベース２３の前端部２３ａが化粧ベース２５の前端部２５ａより突出されて形成されるＡパターンの場合である。化粧ベース２５は美観のため目が細かに形成されてなり、一方植毛ベース２３は植毛のため目が粗く形成されてなる。突出長ｌは、本実施例の場合約１ｃｍである。このように構成すると、植毛ベース２３に植毛されたヘア材２７があたかも目が細かく美麗な化粧ベース２５から出ているように見えるため、自毛との親和性が一層向上される。
【００２７】
図１１（Ｂ）は上記植毛ベース２３の前端部２３ｂが裏面に折畳まれて形成されるＢパターンの場合である。ユーザによってはフロントのヘアスタイルが気になり種々にいじる場合がある。かかる場合フロント部分に負荷がかかるためかつらの耐久性が急減されるところ、このようなＢパターンに構成すると、植毛ベース２３が二重となるので、フロント部分の耐久性が一層向上する。
【００２８】
図９乃至図１１で述べたかつら２１をマネキン頭部にのせて、固定用部１７ａ、固定用部１７ｂにピン打ちした後、ヘア材２７の髪型調整をする。
【００２９】
次に図１２乃至図１５に基づき、本願発明によるかつらの装着について説明する。図１２に示すユーザ頭部の自毛が薄くなった部分２９を隠すため、図１３に示すように、かつら２１を被せ、クリップ１３を自毛の中にすき込み、自毛に固定する。クリップ１３によるかつら２１の固定後、図１４に示すように、ヘア材２７を自毛に馴染ませる親和作業をする。図１５はかくして装着されたかつら２１のセット状態を示す。
【００３０】
上記実施の形態によれば、自毛の薄くなった部分２９付近に装着されたかつら２１は、フレーム本体２Ａの側縁部３、３が軸方向ａ（図１に示す）に沿って塑性変形されてユーザ頭部の形状に倣うため、装着が安定する。また装着時のフレーム本体２Ａの塑性変形に加えて、クリップ１３の弾性変形により、植毛ベース２３及び化粧ベース２５が面状に即ち図１に示すａ方向及びｂ方向にテンションを受けるため、かつら２１が自毛に馴染むのでこの面からも装着が安定する。よって頭髪の薄くなった境い目付近の自毛が矯正され、装着中かつらがいわばニット帽を被るように頭部にフィットするため、自毛との親和性が生じ、上記した境い目付近のかつらの浮き上がり現象が防止される。
【００３１】
またクリップ１３の装着時の力がフレーム本体２Ａの塑性変形力と相まって植毛ベース２３、化粧ベース２５の直交方向ａ、ｂに分散するため、植毛ベース２３、化粧ベース２５のテンションが面状に広がり、自毛への過度な装着力とならない。よって、装着中のユーザの苦痛感が著しく軽減される。
【００３２】
クリップ１３は、本実施例では特殊プラスチックであるポリエーテルイミド（ＳＡＢＩＣ社、商品名「ＵＬＴＥＭ」）からなり、それ自体の弾性力は大きくないが、塑性変形するフレーム本体とくに側縁部３の塑性変形力と相まって、その相乗効果により、適性な自毛装着力を生ずる。この結果、クリップ１３はより薄く、かつ軽量化され、設置個数も少量化することができ、このようにしても適性な自毛装着力を得るのである。またこのような樹脂製クリップ１３の弾性力は大きくないため、装着中自毛への負担が軽減されるので、ユーザの苦痛感が著しく軽減される。本実施の形態では、植毛されるヘア材２７の植毛本数が自毛と同等の毛間隔（１．１ｍｍ程度）であり、従来のように過度に多くない。よってかつら２１自体も軽量化されるので、クリップ１３の装着力が小でありながら、この面からもユーザの装着苦痛感が軽減される。
【００３３】
次にヘア材２７の髪型調整に関して述べる。上記実施の形態においてはかつら２１をカットしたりカールをかける場合、固定用部１７ａ、１７ｂをマネキン頭部にピン打ちするから、かつら２１の固定が完全となる。フレーム本体とくに側縁部３、３の塑性変形により、極薄に形成された植毛ベース２３のフロント部分が安定するので、髪型調整作業の安定化、円滑作業化に資するのである。美容師等はヘア材にカールをかける場合、ヘア材を上方に引張り巻き上げていくのであるが、固定用部１７ａ、１７ｂがあるため植毛ベース２３の極薄のフロント部分に負荷がかからない。髪型調整後、折捨て部７では折捨て線Ｐのところで折り捨てられ（よって固定用部１７ａも廃棄される）、また固定用部１７ｂも折り捨てられる。このようにして、ユーザ頭部には髪型調整されたかつら２１のみが装着される。
【００３４】
本願発明は上記した実施の形態に限定されるものではない。例えば、フレーム１は他の熱加塑性樹脂を用いることができる。またクリップ１３の素材は弾性変形され軽量であれば、適宜の弾性素材が選択可能である。植毛ベースは素材が弱いものや薄いものであっても用いることができる。
またヘア材の植毛の仕方は任意である。本実施の形態は、上述したように、ネット地からなる植毛ベース２３の緯２３ｃにヘア材２７を垂設する立体植毛法によっているため、必要最小限の本数であってもボリューム感を発揮しているが、これに限るものではない。
【産業上の利用可能性】
【００３５】
本願発明はかつらに活用することができる。また部分かつらとしてかつらの一部分としても活用することができる。
【符号の説明】
【００３６】
１      フレーム
２Ａ    雌フレーム
２Ｂ    雄フレーム
３      側縁部
４      孔
５      後縁部
７      折捨て部
１１      フック部
１３      クリップ
１３ａ    クリップ
１３ｂ    クリップ
１３ｃ    クリップ
１４      取付部
１５      基端部
１６      櫛部
１７ａ    固定用部
１７ｂ    固定用部
１８ａ    側縁部
１８ｂ    側縁部
１９      突起
２１      かつら
２３      植毛ベース
２３ａ    前端部
２３ｂ    前端部
２３ｃ    緯
２４      周縁部
２５      化粧ベース
２５ａ    前端部
２７      ヘア材
２８      結び目
２９      自毛のなくなった部分
３０      自毛のある部分
Ｆ        フロント側
【図１】
2020196965.tif 000003
【図２】
2020196965.tif 000004
【図３】
2020196965.tif 000005
【図４】
2020196965.tif 000006
【図５】
2020196965.tif 000007
【図６】
2020196965.tif 000008
【図７】
2020196965.tif 000009
【図８】
2020196965.tif 000010
【図９】
2020196965.tif 000011
【図１０】
2020196965.tif 000012
【図１１】
2020196965.tif 000013
【図１２】
2020196965.tif 000014
【図１３】
2020196965.tif 000015
【図１４】
2020196965.tif 000016
【図１５】
2020196965.tif 000017